(57)【要約】【課題】映像表示と黒表示との割合を任意に設定することを可能にした液晶パネルの表示方法及びその装置並びに電子機器を提供する。【解決手段】マトリックス状に配置された液晶セルを水平方向及び垂直方向にそれぞれ走査して映像信号を書き込んで表示させる工程と、前記映像信号を書き込むための垂直方向の走査に対して、垂直方向の走査を所定時間遅らせ、且つ、水平帰線期間内の所定時間に、前記垂直方向の走査により特定された行の全ての液晶セルに対して所定の固定レベルの信号を書き込んで表示させる工程とを有する。【選択図】図１
2006343766.tif 000002
【特許請求の範囲】
【請求項１】
マトリックス状に配置された画素の内、映像信号を書き込む画素の行とは異なる任意の行の全ての画素に、水平帰線期間内の所定時間に、第１の所定の固定レベルの信号を書き込むことを特徴とする液晶パネルの表示方法。
【請求項２】
マトリックス状に配置された画素を水平方向及び垂直方向にそれぞれ走査して映像信号を書き込んで表示させる工程と、
前記映像信号を書き込むための垂直方向の走査に対して、垂直方向の走査を所定時間遅らせ、且つ、水平帰線期間内の所定時間に、前記所定時間遅らせた垂直方向の走査により特定された行の全ての画素に対して第１の所定の固定レベルの信号を書き込んで表示させる工程と
を有することを特徴とする液晶パネルの表示方法。
【請求項３】
前記垂直方向の走査を遅らせる際の前記所定時間は、前記映像信号の表す画像全体の動き量又はシーンモード切替信号に基づいて決定されることを特徴とする請求項２記載の液晶パネルの表示方法。
【請求項４】
前記第１の所定の固定レベルの信号を、該当する行の全ての画素に同時に書き込むことを特徴とする請求項１〜３の何れかに記載の液晶パネルの表示方法。
【請求項５】
前記映像信号は、その水平帰線期間内の所定時間の間、所定の固定レベルに設定されており、前記映像信号の所定の固定レベルの信号を前記第１の所定の固定レベルの信号として用いることを特徴とする請求項１〜４の何れかに記載の液晶パネルの表示方法。
【請求項６】
前記映像信号は、その水平帰線期間内において、前記第１の所定の固定レベル及び第２の所定の固定レベルに設定されており、前記映像信号を書き込む際に、前記第１の所定の固定レベルの信号を画素に書き込んでから前記第２の所定の固定レベルの信号を書き込むことを特徴とする請求項１〜５の何れかに記載の液晶パネルの表示方法。
【請求項７】
マトリックス状に配置された画素及び前記画素を駆動するアクティブ素子を備えた液晶セルアレイと、
前記アクティブ素子の列方向を単位としてそれぞれ接続されたデータ線を走査して映像信号を供給するデータ線駆動回路と、
前記アクティブ素子の行方向を単位としてそれぞれ接続されたゲート線を走査して駆動信号を供給し、前記画素に前記映像信号を書き込ませる行駆動回路と
を備え、
前記行駆動回路は、前記映像信号を書き込む行とは異なる任意の行の前記アクティブ素子を水平帰線期間内に駆動し、前記データ線駆動回路は、水平帰線期間内に第１の所定の固定レベルの信号を全てのデータ線に供給し、該当する行の画素に書き込ませる
ことを特徴とする液晶表示装置。
【請求項８】
前記行駆動回路は、前記映像信号を書き込むための垂直方向の走査に対して、垂直方向の走査を所定時間遅らせ、且つ、水平帰線期間内の所定時間に、前記所定時間遅らせた垂直方向の走査により特定された行の全ての画素に対して前記第１の所定の固定レベルの信号を書き込んで表示させることを特徴とする請求項７記載の液晶表示装置。
【請求項９】
前記行駆動回路は、前記映像信号の表す画像全体の動き量又はシーンモード切替信号に基づいて決定される前記所定時間遅れて、前記アクティブ素子を水平帰線期間内に駆動することを特徴とする請求項８記載の液晶表示装置。
【請求項１０】
前記データ線駆動回路は、水平帰線期間内に、前記第１の所定の固定レベルの信号を含んだ映像信号を前記データ線に供給することを特徴とする請求項７〜９の何れかに記載の液晶表示装置。
【請求項１１】
前記データ線駆動回路は、水平帰線期間内に、前記第１の所定の固定レベル及び第２の所定の固定レベルの信号を含んだ映像信号を前記データ線に供給することを特徴とする請求項７〜１０の何れかに記載の液晶表示装置。
【請求項１２】
前記データ線駆動回路は、前記データ線に対して、前記第１の所定の固定レベルの信号を供給してから前記第２の所定の固定レベルの信号を供給することを特徴とする請求項１１記載の液晶表示装置。
【請求項１３】
前記データ線駆動回路は、前記データ線を順次選択するためのデータ線選択回路と、水平帰線期間に発生する固定レベル書込信号及び前記データ線選択回路の出力に基づいて駆動され、前記データ線に対して前記第１の所定の固定レベルの信号、前記第２の所定の固定レベルの信号及び映像信号を供給するスイッチング素子とを備え、
前記行駆動回路は、前記ゲート線を走査して前記アクティブ素子を駆動する第１及び第２の行選択回路を備え、
前記第１の行選択回路は、前記ゲート線を順次走査して前記アクティブ素子を駆動し、前記第２の所定の固定レベルの信号及び映像信号を前記画素に書き込ませ、
前記第２の行選択回路は、前記第１の行選択回路よりも所定時間遅らせて垂直方向の走査を開始し、前記固定レベル書込信号に基づいて前記スイッチング素子が駆動されて前記第１の所定の固定レベルの信号が前記データ線に供給されるタイミングで、前記ゲート線を走査して前記アクティブ素子を駆動させて、前記第１の所定の固定レベルの信号を前記画素に書き込ませる
ことを特徴とする請求項１１記載の液晶表示装置。
【請求項１４】
前記データ線駆動回路は、データ線を順次選択するためのデータ線選択回路と、水平帰線期間に発生する第１の固定レベル書込信号及び第２の固定レベル書込信号とデータ線選択回路の出力とに基づいてそれぞれ駆動され、前記第１の所定の固定レベルの信号、前記第２の所定の固定レベルの信号及び映像信号をデータ線に供給するスイッチング素子とを備え、
前記行駆動回路は、前記ゲート線を走査して前記アクティブ素子を駆動する第１及び第２の行選択回路を備え、
前記第１の行選択回路は、前記ゲート線を順次走査して前記アクティブ素子を駆動し、前記第１の所定の固定レベルの信号、前記第２の所定の固定レベルの信号及び前記映像信号を前記画素に書き込ませ、
前記第２の行選択回路は、前記第１の行選択回路よりも所定時間遅れて垂直方向の走査を開始し、前記第１の固定レベル書込信号に基づいて前記スイッチング素子が駆動され、前記第１の所定の固定レベルの信号が前記データ線に供給されるタイミングで、前記ゲート線を順次走査して前記アクティブ素子を駆動し、前記第１の所定の固定レベルの信号を前記画素に書き込ませる
ことを特徴とする請求項１１又は１２記載の液晶表示装置。
【請求項１５】
前記第２の行選択回路は、前記第１の行選択回路よりも、前記映像信号の表す画像全体の動き量又はシーンモード切替信号に基づいて決定される前記所定時間遅れて垂直方向の走査を開始することを特徴とする請求項１３又は１４記載の液晶表示装置。
【請求項１６】
前記液晶表示装置の射出光量を制御する調光部を備え、前記映像信号の表す画像全体の動き量又はシーンモード切替信号に応じて該射出光量を調整することを特徴とする請求項７〜１５の何れかに記載の液晶表示装置。
【請求項１７】
ガンマ補正部又はゲイン調整部を備え、前記映像信号の表す画像全体の動き量又はシーンモード切替信号に基づいてガンマカーブ又はゲインを調整することを特徴とする請求項７〜１５の何れかに記載の液晶表示装置。
【請求項１８】
請求項７〜１７の何れかに記載の液晶表示装置と、前記液晶表示装置に前記映像信号を供給する映像信号処理部とを搭載したことを特徴とする電子機器。
【発明の詳細な説明】
【技術分野】
【０００１】
本発明は、液晶パネルの表示方法、液晶表示装置及び電子機器に関し、特に、液晶パネルの残像による動画ボケの改善に関する。
【背景技術】
【０００２】
例えばアクテイブマトリックス型の液晶パネルにおいては、液晶の応答速度、特に中間調間の応答速度が上記１フレームの時間である１６.７msより遅いために、動画表示の場合には残像が見られる。また、薄膜トランジスタ（ＴＦＴ）が非選択の間は、対応する絵素に書き込まれたデータ信号が保持され続けるために、仮に液晶の応答速度を早くしたとしても、人間の視線が動画を追跡するが故の網膜上の残像が存在する。このような動画表示に残像があると、所謂動画ボケが起こって表示品位が低下する。
【０００３】
そこで、上記の問題点を解決するために、例えば画面を上下２分割して、フレーム時間の前半では、上画面を信号走査すると同時に下画面を黒信号(ブランキング)走査し、そして、フレーム時間の後半では、上記の上画面を黒信号(ブランキング)走査すると同時に下画面を信号走査するようにした液晶表示方法が提案されている（例えば特許文献１）。
【特許文献１】特開平１１−１０９９２１号公報
【発明の開示】
【発明が解決しようとする課題】
【０００４】
しかしながら、特許文献１の液晶表示方法においては、映像信号と黒信号とを切り替えるための出力制御が必要になり制御が複雑になるととともに、映像表示と黒表示とが等しい時間、即ち、それぞれ１／２フレーム時間に固定されるという問題点があった。
【０００５】
本発明は、上記の問題点を解決するためになされたものであり、少なくとも、映像表示と非映像表示との割合を任意に設定することを可能にした液晶パネルの表示方法及びその表示装置並びにその表示装置を搭載した電子機器を提供することを目的とする。
【課題を解決するための手段】
【０００６】
本発明に係る液晶パネルの表示方法は、マトリックス状に配置された画素の内、映像信号を書き込む画素の行とは異なる任意の行の全ての画素に、水平帰線期間内の所定時間に、第１の所定の固定レベルの信号を書き込む。本発明においては、映像信号を書き込む画素の行とは異なる任意の行の全ての画素に第１の所定の固定レベルの信号を書き込むようにしており、映像表示と第１の所定の固定レベルの信号による表示との割合を任意に設定することができる。なお、本発明において、上記の第１の所定の固定レベルとは黒レベル又はそれに準ずるレベルをいうものとし、残像を防止するためのものであるから黒レベルであることが望ましいが、厳密な黒レベルであることまでは必要とされず、同様な機能を発揮するレベルの信号であってもよい。
【０００７】
また、本発明に係る液晶パネルの表示方法は、マトリックス状に配置された画素を水平方向及び垂直方向にそれぞれ走査して映像信号を書き込んで表示させる工程と、前記映像信号を書き込むための垂直方向の走査に対して、垂直方向の走査を所定時間遅らせ、且つ、水平帰線期間内の所定時間に、前記所定時間遅らせた垂直方向の走査により特定された行の全ての画素に対して第１の所定の固定レベルの信号を書き込んで表示させる工程とを有する。本発明においては、マトリックス状に配置された画素を水平方向及び垂直方向にそれぞれ走査して映像信号を書き込んでおり、これは通常の映像信号による表示と変わらない。このまま次のフレームまで何にもしなければ次のフレームまではその映像信号による表示が維持されることになる。しかし、本発明においては、所定時間後（例えば後述の実施形態の例では１フレーム周期の１／２）に、画素に対して第１の所定の固定レベルの信号を行単位で書き込むとともに、その処理を垂直方向に繰り返しており、映像信号が書き込まれた画素に第１の所定の固定レベルの信号が書き込まれていくので、各画素による映像信号に表示が上記の所定時間により制約を受けることになり、映像信号による表示と第１の所定の固定レベルの信号による表示との割合を任意に設定することができる。例えば上記の所定時間を短くすることにより映像信号による表示時間が短くなり、残像を少なくすることができる。また、上記の所定時間を長くすることにより映像信号による表示時間が長くなる。
【０００８】
本発明に係る液晶パネルの表示方法において、前記垂直方向の走査を遅らせる際の前記所定時間は、前記映像信号の表す画像全体の動き量又はシーンモード切替信号に基づいて決定される。本発明においては、前記映像信号の表す画像全体の動き量又はシーンモード切替信号（例えば映画、スポーツ等の映像のジャンルを特定した信号）に基づいて第１の所定の固定レベルの信号を書き込むタイミングを調整するようにしたので、映像信号による表示と第１の所定の固定レベルの信号による表示との割合が映像内容に応じて適切に設定することが可能になっている。特に、第１の所定の固定レベルの信号による表示が過剰になるとフリッカが生じやすくなるが、本発明においては、第１の所定の固定レベルの信号による表示を映像内容に応じて設定するようにしたので、フリッカの発生が最小限に抑制されている。
【０００９】
また、本発明に係る液晶パネルの表示方法においては、前記第１の所定の固定レベルの信号を、該当する行の全ての画素に同時に書き込む。このため、本発明においては、水平帰線期間内の所定時間に前記第１の所定の固定レベルの信号を該当する行の全ての画素に同時に書き込むことが可能になっている。
【００１０】
また、本発明に係る液晶パネルの表示方法において、前記映像信号は、その水平帰線期間内の所定時間の間、所定の固定レベルに設定されており、前記映像信号の所定の固定レベルの信号を前記第１の所定の固定レベルの信号として用いる。このため、本発明においては、映像信号（有効な映像信号）と第１の所定の固定レベルの信号とを切り替える出力制御が不要となっている。
【００１１】
また、本発明に係る表示パネルの表示方法において、前記映像信号は、その水平帰線期間内において、第１の所定の固定レベル及び第２の所定の固定レベルに設定されており、前記映像信号を書き込む際に、前記第１の所定の固定レベルの信号を画素に書き込んでから前記第２の所定の固定レベルの信号を書き込む。ここで、第２の所定の固定レベルはいわゆるプリチャージレベルにあたり、液晶パネルの画素に有効な映像信号の書き込みが確実に行われるように、あらかじめ書き込んでおくレベルである。本発明においては、前記第１の所定の固定レベルの信号を画素に書き込んでから前記第２の所定の固定レベルの信号を書き込んでいるので、前記第２の所定の固定レベルの信号の書き込みが安定して行われる。つまり、第１の所定の固定レベルの信号は第２の所定の固定レベルに対してオーバーシュート側の電位になるので、オーバーシュートぎみに電圧を書き込んでから第２の所定の固定レベルに移行することにより、第２の所定の固定レベルの信号の書き込みが安定して行われる。
【００１２】
また、本発明に係る液晶表示装置は、マトリックス状に配置された画素及び前記画素を駆動するアクティブ素子を備えた液晶セルアレイと、前記アクティブ素子の列方向を単位としてそれぞれ接続されたデータ線を走査して映像信号を供給するデータ線駆動回路と、前記アクティブ素子の行方向を単位としてそれぞれ接続されたゲート線を走査して駆動信号を供給し、前記画素に前記映像信号を書き込ませる行駆動回路とを備え、前記行駆動回路は、前記映像信号を書き込む行とは異なる任意の行の前記アクティブ素子を水平帰線期間内に駆動し、前記データ線駆動回路は、水平帰線期間内に第１の所定の固定レベルの信号を全てのデータ線に供給し、該当する行の画素に書き込ませる。
【００１３】
本発明においては、データ線駆動回路及び行駆動回路により、マトリックス状に配置された画素を水平方向及び垂直方向にそれぞれ走査して映像信号を書き込んでいる。そして、所定時間後（例えば後述の実施形態の例では１フレーム同期の１／２）に、第１の所定の固定レベルの信号を行単位で書き込むとともに、その処理を垂直方向に繰り返しており、映像信号が書き込まれた画素に第１の所定の固定レベルの信号が書き込まれていくので、各画素による映像信号に表示が上記の所定時間により制約を受けることになり、映像信号による表示と第１の所定の固定レベルの信号による表示との割合を任意に設定することができる。
【００１４】
また、本発明に係る本発明に係る液晶表示装置において、前記行駆動回路は、前記映像信号を書き込むための垂直方向の走査に対して、垂直方向の走査を所定時間遅らせ、且つ、水平帰線期間内の所定時間に、前記所定時間遅らせた垂直方向の走査により特定された行の全ての画素に対して第１の所定の固定レベルの信号を書き込んで表示させる。本発明においては、各画素による映像信号の表示が上記の所定時間により制約を受けることになり、映像信号による表示と第１の所定の固定レベルの信号による表示との割合を任意に設定することができる。例えば上記の所定時間を短くすることにより映像信号による表示時間が短くなり、残像を少なくすることができる。また、上記の所定時間を長くすることにより映像信号による表示時間が長くなる。
【００１５】
また、本発明に係る本発明に係る液晶表示装置において、前記行駆動回路は、前記映像信号の表す画像全体の動き量又はシーンモード切替信号に基づいて決定される前記所定時間遅れて、前記アクティブ素子を水平帰線期間内に駆動する。本発明においては、前記映像信号の表す画像全体の動き量又はシーンモード切替信号（例えば映画、スポーツ等の映像のジャンルを特定した信号）に基づいて第１の所定の固定レベルの信号を書き込むタイミングを調整するようにしたので、映像信号による表示と第１の所定の固定レベルの信号による表示との割合が映像内容に応じて適切に設定することが可能になっている。特に、第１の所定の固定レベルの信号による表示が過剰になるとフリッカが生じやすくなるが、本発明においては、第１の所定の固定レベルの信号による表示を画像内容に応じて設定するようにしたので、フリッカの発生が最小限に抑制されている。
【００１６】
また、本発明に係る液晶表示装置において、前記データ線駆動回路は、水平帰線期間内に、前記第１の所定の固定レベルの信号を含んだ映像信号を前記データ線に供給する。このため、本発明においては、映像信号と第１の所定の固定レベルの信号とを切り替える出力制御が不要となっている。
【００１７】
また、本発明に係る液晶表示装置において、前記データ線駆動回路は、水平帰線期間内に、前記第１の所定の固定レベル及び第２の所定の固定レベルの信号を含んだ映像信号を前記データ線に供給する。
【００１８】
また、本発明に係る液晶表示装置において、前記データ線駆動回路は、前記データ線に対して、前記第１の所定の固定レベルの信号を供給してから前記第２の所定の固定レベルの信号を供給する。
【００１９】
また、本発明に係る液晶表示装置において、前記データ線駆動回路は、前記データ線を順次選択するためのデータ線選択回路と、水平帰線期間に発生する固定レベル書込信号及び前記データ線選択回路の出力に基づいて駆動され、前記データ線に対して前記第１の所定の固定レベルの信号、前記第２の所定の固定レベルの信号及び映像信号を供給するスイッチング素子とを備え、前記行駆動回路は、前記ゲート線を走査して前記アクティブ素子を駆動する第１及び第２の行選択回路を備える。前記第１の行選択回路は、前記ゲート線を順次走査して前記アクティブ素子を駆動し、前記第２の所定の固定レベルの信号及び映像信号を前記画素に書き込ませる。前記第２の行選択回路は、前記第１の行選択回路よりも所定時間遅らせて垂直方向の走査を開始し、前記固定レベル書込信号に基づいて前記スイッチング素子が駆動されて前記第１の所定の固定レベルの信号が前記データ線に供給されるタイミングで、前記ゲート線を走査して前記アクティブ素子を駆動させて、前記第１の所定の固定レベルの信号を前記画素に書き込ませる。
【００２０】
また、本発明に係る液晶表示装置において、前記データ線駆動回路は、前記データ線を順次選択するためのデータ線選択回路と、水平帰線期間に発生する第１の固定レベル書込信号及び第２の固定レベル書込信号と前記データ線選択回路の出力とに基づいてそれぞれ駆動され、前記第１の所定の固定レベルの信号、前記第２の所定の固定レベルの信号及び映像信号をデータ線に供給するスイッチング素子とを備え、前記行駆動回路は、前記ゲート線を走査して前記アクティブ素子を駆動する第１及び第２の行選択回路を備える。前記第１の行選択回路は、前記ゲート線を順次走査して前記アクティブ素子を駆動し、前記第１の所定の固定レベルの信号、前記第２の所定の固定レベルの信号及び前記映像信号を前記画素に書き込ませ、前記第２の行選択回路は、前記第１の行選択回路よりも所定時間遅れて垂直方向の走査を開始し、前記第１の固定レベル書込信号に基づいて前記スイッチング素子が駆動され、前記第１の所定の固定レベルの信号が前記データ線に供給されるタイミングで、前記ゲート線を順次走査して前記アクティブ素子を駆動し、前記第１の所定の固定レベルの信号を前記画素に書き込ませる。
【００２１】
本発明に係る液晶表示装置において、前記第２の行選択回路は、前記第１の行選択回路よりも、前記映像信号の表す画像全体の動き量又はシーンモード切替信号に基づいて決定される前記所定時間遅れて垂直方向の走査を開始する。
【００２２】
本発明に係る液晶表示装置は、前記液晶表示装置の射出光量を制御する調光部を備え、前記映像信号の表す画像全体の動き量又はシーンモード切替信号に応じて該射出光量を調整する。第１の固定信号による表示割合が大きくなると液晶アレイの表示画像が暗くなるが、本発明においては、前記映像信号の表す画像全体の動き量又はシーンモード切替信号に応じて該射出光量を調整するようにしたので、そのような事態が避けられる。
【００２３】
本発明に係る液晶表示装置は、ガンマ補正部又はゲイン調整部を備え、前記映像信号の表す画像全体の動き量又はシーンモード切替信号に基づいてガンマカーブ又はゲインを調整する。第１の固定信号による表示割合が大きくなると液晶アレイの表示画像が暗くなるが、本発明においては、前記映像信号の表す画像全体の動き量又はシーンモード切替信号に基づいてガンマカーブ又はゲインを調整するようにしたので、そのような事態が避けられる。
【００２４】
また、本発明に係る電子機器は、上記の記載の液晶表示装置と、前記液晶表示装置に前記映像信号を供給する映像信号処理部とを搭載したものである。
【発明を実施するための最良の形態】
【００２５】
実施形態１．
図１は本発明の実施形態１に係る表示装置の構成図である。この表示装置は、例えば液晶プロジェクタ等の電子機器に搭載されるものであり、映像信号処理回路１０、Ｄ／Ａ変換器１１、極性反転回路１２、ビデオアンプ１３、表示部１４及び制御部１５を備えている。ここで、映像信号処理回路１０、Ｄ／Ａ変換器１１、極性反転回路１２、ビデオアンプ１３、は本発明の映像信号処理部に相当する。表示部１４は、液晶セルアレイ１６、データ線駆動回路（ソースドライバ）１７及び行駆動回路（ゲートドライバ）１８から構成されている。液晶セルアレイ１６は例えばガラス基板等の透明基板が２枚貼り合わされ、その間に液晶材料が挾持された構造となっており、液晶セル（画素）のアクティブ素子として薄膜トランジスタ（ＴＦＴ）が設けられている。また、この液晶セルアレイ１６は図示しない光源からの光を変調し、その変調された光は共に図示しない投射部により拡大されスクリーンに表示される。
【００２６】
制御部１５は、装置全体を制御するものであり、映像信号処理回路１０、Ｄ／Ａ変換器１１、極性反転回路１２、ビデオアンプ１３及び表示部１４に対してクロック信号や制御信号を供給して、装置全体を制御する。映像信号処理回路１０はデジタル映像信号（ビデオ信号）を取り込んで例えばγ補正等の各種の補正処理をして出力し、Ｄ／Ａ変換器１１はその補正処理された映像信号をアナログ信号に変換する。極性反転回路１２はアナログ信号に変換された映像信号を例えば１ライン毎に極性を反転させてビデオアンプ１３に出力する。ビデオアンプ１３は映像信号を増幅して表示部１４のデータ線駆動回路１７に出力する。制御部１５はデータ線駆動回路１７に対して水平開始信号、水平クロック信号、イネーブル信号及び固定レベル書込信号をそれぞれ供給し、行駆動回路１８に対して垂直開始信号１，２、垂直クロック信号及び行選択回路切替信号を供給する。表示部１４のデータ線駆動回路１７及び行駆動回路１８は後述のように液晶セルアレイ１６の液晶セルをそれぞれ制御する。
【００２７】
図２は表示部１４の詳細を示した回路図であり、図３は液晶セルアレイ１６の詳細図である。液晶セルアレイ１６は、マトリックス状の配置された液晶セルCH1V1，CH2V1，…CHmVnと、その液晶セルCH1V1，CH2V1，…CHmVnをそれぞれ駆動する薄膜トランジスタ（ＴＦＴ）TH1V1，TH2V1，…THmVnとから構成されている。薄膜トランジスタTH1V1，TH2V1，…THmVnの内、垂直方向に並んだ薄膜トランジスタTH1V1，TH1V2…を単位としてそのソースにはデータ線Ｄ１，Ｄ２，…Ｄｍがそれぞれ接続されており、また、水平方向に並んだ薄膜トランジスタTH1V1，TH2V1，…を単位としてそのゲートにはゲート線Ｇ１，Ｇ２，…Ｇｎが接続されている。データ線駆動回路１７は、データ線選択回路２１、アンド回路（アンドゲート）２２−１，２２−２，…２２−ｍ、オア回路（オアゲート）２３−１，２３−２，…２３−ｍ及びスイッチングトランジスタ２４−１，２４−２，…２４−ｍから構成されている。
【００２８】
データ線選択回路２１は、例えばシフトレジスタから構成されており、水平開始信号を入力すると、水平開始信号を水平クロック信号に同期して出力端子QH1，QH2，…QHmに順次出力する。アンド回路２２−１，２２−２，…２２−ｍは、データ線選択回路２１の出力端子QH1，QH2，…QHmからの信号とイネーブル信号とのアンド論理をとって出力する（イネーブル信号によってゲートを開閉する）。オア回路２３−１，２３−２，…２３−ｍはアンド回路２２−１，２２−２，…２２−ｍの出力と固定レベル書込信号とを入力し、その出力をスイッチングトランジスタ２４−１，２４−２，…２４−ｍのゲートに供給し、スイッチングトランジスタ２４−１，２４−２，…２４−ｍがオンすると、ビデオ信号がデータ線Ｄ１，Ｄ２，…Ｄｍに順次供給されることになる。なお、上記の固定レベル書込信号はビデオ信号に含まれる、第１の所定の固定レベルにあたる黒レベルの信号及び第２の所定の固定レベルにあたるプリチャージレベルの信号をデータ線Ｄ１，Ｄ２，…Ｄｍに供給するためのタイミング信号である。プリチャージレベルは白レベルと黒レベルとの間で、使用する液晶セルアレイ１６の特性にあったレベルになっている。
【００２９】
行駆動回路１８は、行選択回路２５，２６、アンド回路（アンドゲート）２７−１，２７−２，…２７−ｎ、２８−１，２８−２，…２８−ｎ、インバータ２９及びオア回路（オアゲート）３０−１，３０−２…３０−ｎから構成されている。行選択回路２５及び２６はシフトレジスタから構成されており、行選択回路（第１の行選択回路）２５には垂直開始信号１及び垂直クロック信号が供給され、垂直開始信号１を垂直クロック信号に同期して出力端子QV1，QV2，…QVnに順次出力する。行選択回路（第２の行選択回路）２６には垂直開始信号２及び垂直クロック信号が供給され、垂直開始信号２を垂直クロック信号に同期して出力端子QB1，QB2，…QBnに順次出力する。アンド回路２７−１，２７−２，…２７−ｎは行選択回路２５の出力と、行選択回路切替信号がインバータ２９により反転された信号とのアンド論理をとってオア回路３０−１，３０−２，…３０−ｎに出力する。アンド回路２８−１，２８−２，…２８−ｎは行選択回路２６の出力と、行選択回路切替信号とのアンド論理をとってオア回路３０−１，３０−２，…３０−ｎに出力する。
【００３０】
図４は図２及び図３の表示部１４の動作を示すタイミングチャートである。同図を参照しながら図２及び図３の表示部１４の動作を説明する。ビデオアンプ１３から供給されたビデオ信号には、有効なビデオ信号の他に、水平帰線期間に相当するタイミングで、黒レベルの信号及びプレチャージレベルの信号がそれぞれ含まれている。水平開始信号がデータ線選択回路２１に供給されると、データ線選択回路２１はその出力端子QH1，QH2，…QHmに水平開始信号のパルスを水平クロック信号に同期して順次出力する。アンド回路２２−１，２２−２，…２２−ｍは、データ線選択回路２１の出力とイネーブル信号とのアンド論理をとってオア回路２３−１，２３−２，…２３−ｍに出力する。オア回路２３−１，２３−２，…２３−ｍには、アンド回路２２−１，２２−２，…２２−ｍの出力の他に固定レベル書込信号が入力される。この固定レベル書込信号は、ビデオ信号の黒レベル及びプリチャージレベルの各信号に対応するタイミングのパルスからなる。したがって、オア回路２３−１，２３−２，…２３−ｍの出力Ｈ１，Ｈ２，…Ｈｍは、水平帰線期間における固定レベル書込信号のパルスと、その以外に時間帯域におけるアンド回路２２−１，２２−２，…２２−ｍの出力とからなる。オア回路２３−１，２３−２，…２３−ｍの出力Ｈ１，Ｈ２，…Ｈｍによりスイッチングトランジスタ２４−１，２４−２，…２４−ｍがスイッチオンし、ビデオ信号がデータ線Ｄ１，Ｄ２，…Ｄｍに供給されることになる。したがって、ビデオ信号の内、水平帰線期間の黒レベルの信号及びプリチャージレベルの信号は全てのデータ線Ｄ１，Ｄ２，…Ｄｍに同時に供給されるが、有効なビデオ信号はデータ線選択回路２１の出力に従ってデータ線Ｄ１，Ｄ２，…Ｄｍに順次供給されることになる。
【００３１】
また、行選択回路２５には垂直開始信号１及び垂直クロック信号が供給され、垂直開始信号１を垂直クロック信号に同期して出力端子QV1，QV2，…QVnに順次出力する。行選択回路切替信号は上記のビデオ信号の黒レベルのタイミングで供給されているが、アンド回路２７−１，２７−２，…２７−ｎは、行選択回路２５の出力端子QV1，QV2，…QVnに現れた出力と行選択回路切替信号の反転信号とのアンド論理をとってオア回路３０−１，３０−２，…３０−ｎにそれぞれ出力する。これにより、行選択回路２５の出力及び行選択回路切替信号の反転信号がゲート線Ｇ１，Ｇ２，…Ｇｎにゲート電圧として順次供給されることとなり、薄膜トランジスタTH1V1，TH2V1，…THmVnが水平方向に走査されつつ垂直方向にも走査されて駆動されることにより、ビデオ信号（プリチャージレベルの信号及び有効なビデオ信号）が液晶セルCH1V1，CH2V2，…CHmVnに供給されて映像が描画されることになる。なお、有効なビデオ信号とは本来の表示対象となっている信号部分のビデオ信号をいうものとする。
【００３２】
また、行選択回路２６には垂直開始信号２及び垂直クロック信号が供給され、垂直開始信号２を垂直クロック信号に同期して出力端子QB1，QB2，…QBnに順次出力する。なお、この垂直開始信号２は、本実施形態１では垂直開始信号１に対して１フレーム周期の１／２遅れたタイミングで発生しているものとする。行選択回路切替信号は、上記のように、ビデオ信号の黒レベルのタイミングで供給されており、アンド回路２８−１，２８−２，…２８−ｎは、行選択回路２６の出力端子QB1，QB2，…QBnに現れた出力と行選択回路切替信号とのアンド論理をとってオア回路３０−１，３０−２，…３０−ｎにそれぞれ出力する。これにより、ゲート電圧がゲート線Ｇ１，Ｇ２，…Ｇｎに順次供給されることとなり、薄膜トランジスタTH1V1，TH2V1，…THmVnが水平方向に一括して走査されつつ垂直方向にも走査されて駆動されることにより、ビデオ信号（黒レベルの信号）が液晶セルCH1V1，CH2V2，…にCHmVnに供給されて黒色の映像が描画されることになる。
【００３３】
以上のように、オア回路３０−１，３０−２，…３０−ｎは、行選択回路２５及び２６側からの信号をそれぞれ入力し、それを出力しているので、例えばオア回路３０−１の出力Ｖ１について着目すると、行選択回路２５の出力端子QV1からの垂直開始信号１に対応する信号が出力され、これによりゲート線Ｇ１にゲート電圧が供給されて薄膜トランジスタTH1V1〜THmV1が駆動状態になり、ビデオ信号（プリチャージレベルの信号及び有効なビデオ信号）が液晶セルCH1V1〜CHmV1に供給されて１ライン分の映像が描画されることになる。そして、このような処理がゲート線Ｇ２以降においても同様に繰り返されて映像が描画されていく。そして、１フレーム周期の１／２の時間が経過した状態で、オア回路３０−１の出力Ｖ１に着目すると、行選択回路切替信号に対応する信号が出力され、これによりゲート線Ｇ１にゲート電圧が供給され薄膜トランジスタTH1V1〜THmV1が同時に駆動状態になり、ビデオ信号（黒レベルの信号）が液晶セルCH1V1〜CHmV1に同時に供給されて１ライン分の映像として黒色が描画されることになる。このことは、液晶セルCH1V1〜CHmV1について着目すると、この１ラインについてプリチャージレベルの信号及び有効なビデオ信号が供給されて書き込みがなされた後、１フレーム周期の１／２の時間経過後には黒レベルの信号が一括して供給されて書き込みがなされることになる。このような処理がゲート線Ｇ２以降においても同様に繰り返される。その結果、図５に示されるような映像が得られる。
【００３４】
図５は図２及び図３の表示部１４の表示の推移を示した説明図である。ここで、表示部１４は６００行（ｎ＝６００）からなるものとする。液晶セルアレイ１６に表示される映像が例えば「動画像」という文字であるとすると、有効なビデオ信号が１行目から３００行目までを書き込まれると、３０１行目以降は同様にして有効なビデオ信号が順次書き込まれるが、１行目以降は黒レベルの信号が書き込まれていく。このため、４００行目の書き込み終了時には最初の１行目〜１００行目と４０１行目〜６００行目に黒レベルの信号が書き込まれ、１０１行目〜４００行目に有効なビデオ信号が書き込まれる。５００行目の書き込み終了時には１行目〜２００行目に黒レベルの信号が書き込まれ、２０１行目〜５００行目に有効なビデオ信号が書き込まれる。同様にして有効なビデオ信号及び黒色レベルの信号が書き込まれていき、液晶セルアレイ１６には３００行分の有効なビデオ信号が書き込まれてその映像が表示されることになる。
【００３５】
以上のように本実施形態１においては、マトリックス状に配置された液晶セルを水平方向及び垂直方向にそれぞれ走査してビデオ信号を書き込んでおり、これは通常のビデオ信号による表示と変わらない。このまま次のフレームまで何にもしなければ次のフレームまではそのビデオ信号による表示が維持されることになるが、本実施形態１においては、１フレーム周期の１／２の後に、液晶セルに対して黒レベルの信号を行単位で書き込むとともに、その処理を垂直方向に繰り返しており、ビデオ信号が書き込まれた液晶セルに黒レベルの信号が書き込まれていくので、各液晶セルによるビデオ信号による表示が上記の所定時間により制約を受けることになり、ビデオ信号（有効なビデオ信号）による表示と黒レベルの信号による表示との割合を任意に設定することができる。
【００３６】
また、本実施形態１においては、黒レベルの信号を行単位で同時に書き込むようにしたので、水平帰線期間内の短時間で書き込み処理終了させることが可能になっている。また、ビデオ信号には、その水平帰線期間内の所定時間の間、本発明の第１の所定の固定レベルに設定されており、このビデオ信号の固定レベル（黒レベル）の信号を残像防止のために用いるので、ビデオ信号（有効なビデオ信号）と黒レベルの信号とを切り替える出力制御が不要となっている。
【００３７】
更に、本実施形態においては、固定レベル書込信号により黒レベルの信号及びプリチャージレベルの信号の２つの信号の書き込みを行うようにしているので、回路構成が簡単なものとなっている。
【００３８】
実施形態２．
図６は本発明の実施形態２に係る表示部の構成を示した回路図である。なお、図６の液晶セルアレイ１６の構成は図３に示されたものと同一であるのでその図示は省略する。本発明の実施形態２に係る表示部は、上記の実施形態１との関連では、行選択回路切替信号を用いずに、その代わりに、黒レベル書込信号をオア回路２３−１，２３−２，…２３−ｍ及びアンド回路２８−１，２８−２，…２８−ｎの入力としており、アンド回路２７−１，２７−２，…２７−ｎ及びインバータ２９を省略した構成となっている。なお、黒レベル書込信号（第１の固定レベル書込信号）は黒レベルの信号の書き込みに用いられ、固定レベル書込信号（第２の固定レベル書込信号）はプリチャージレベルの信号の書き込みに用いられるパルス信号である。
【００３９】
図７は図６の表示部１４の動作を示すタイミングチャートである。同図を参照しながら図６の表示部１４の動作を説明する。ビデオアンプ１３から供給されたビデオ信号には、有効なビデオ信号の他に、水平帰線期間に相当するタイミングで、黒レベルの信号及びプレチャージレベルの信号がそれぞれ含まれている。水平開始信号がデータ線選択回路２１に供給されると、データ線選択回路２１はその出力端子QH1，QH2，…QHmに水平開始信号のパルスを水平クロック信号に同期して順次出力する。アンド回路２２−１，２２−２，…２２−ｍは、データ線選択回路２１の出力とイネーブル信号とのアンド論理をとってオア回路２３−１，２３−２，…２３−ｍに出力する。オア回路２３−１，２３−２，…２３−ｍには、アンド回路２２−１，２２−２，…２２−ｍの出力の他に、黒レベル書込信号（第１の固定レベル書込信号）及び固定レベル書込信号（第２の固定レベル書込信号）が入力する。黒レベル書込信号は、黒レベルの信号に対応するタイミングのパルスからなり、固定レベル書込信号は、プリチャージレベルの信号に対応するタイミングのパルスからなっている。したがって、オア回路２３−１，２３−２，…２３−ｍの出力Ｈ１，Ｈ２，…Ｈｍは、水平帰線期間における黒レベル書込信号及び固定レベル書込信号のパルスと、水平帰線期間経過後におけるアンド回路２２−１，２２−２，…２２−ｍの出力とからなる。オア回路２３−１，２３−２，…２３−ｍの出力Ｈ１，Ｈ２，…Ｈｍによりスイッチングトランジスタ２４−１，２４−２，…２４−ｍがスイッチオンし、ビデオ信号がデータ線Ｄ１〜Ｄｍに供給されることになる。したがって、ビデオ信号の内、水平帰線期間の黒レベル及びプリチャージレベルの信号は全てのデータ線Ｄ１，Ｄ２，…Ｄｍに同時に供給されるが、有効なビデオ信号はデータ線選択回路２１の出力にしたがってデータ線Ｄ１，Ｄ２，…Ｄｍに順次供給されることになる。
【００４０】
また、行選択回路２５には垂直開始信号１及び垂直クロック信号が供給され、垂直開始信号１を垂直クロック信号に同期して出力端子QV1，QV2，…QVnに順次出力する。行選択回路２５の出力はオア回路３０−１，３０−２，…３０−ｎにそれぞれ出力する。これにより、水平帰線期間を除いた時間帯では、ゲート線Ｇ１，Ｇ２，…Ｇｎにゲート電圧が順次供給されることとなり、薄膜トランジスタTH1V1，TH2V1，…THmVnが水平方向に走査されつつ垂直方向にも走査されて駆動されることにより、ビデオ信号（固定レベルの信号、プリチャージレベルの信号及び有効なビデオ信号）が液晶セルCH1V1，CH2V2，…CHmVnに供給されて映像が描画されることになる。
【００４１】
また、行選択回路２６には垂直開始信号２及び垂直クロック信号が供給され、垂直開始信号２を垂直クロック信号に同期して出力端子QV1，QV2，…QVnに順次出力する。なお、この垂直開始信号２は、本実施形態２においても垂直開始信号１に対して１／２周期遅れたタイミングで発生しているものとする。黒レベル書込信号は上述のようにビデオ信号の黒レベルのタイミングで供給されており、アンド回路２８−１，２８−２，…２８−ｎは、行選択回路２６の出力端子QB1，QB2，…QBnに現れた出力と黒レベル書込信号とのアンド論理をとってオア回路３０−１，３０−２，…３０−ｎにそれぞれ出力する。これにより、ゲート電圧が水平帰線期間にゲート線Ｇ１，Ｇ２，…Ｇｎに順次供給されることとなり、薄膜トランジスタTH1V1，TH2V1，…THmVnが水平方向に一括して走査されつつ垂直方向にも走査されて駆動されることにより、ビデオ信号（黒レベルの信号）が液晶セルCH1V1，CH2V2，…にCHmVnに供給されて黒色の映像が描画されることになる。
【００４２】
以上のようにして、薄膜トランジスタTH11V1〜THmVnのオン動作のタイミングは図４の実施形態に対し、プリチャージレベルの書込み前に黒レベルの書込みを行う点以外は同様になり、図５に示されるのと同様にして、液晶セルアレイ１６に３００行分の映像信号が書き込まれるとともに、３００行分の黒レベルの信号が書き込まれて、それに対応した映像が表示されることになる。また、本実施形態２においては、黒レベルの信号を液晶セルに書き込んでからプリチャージレベルの信号を書き込んでいるので、プリチャージレベルの信号の書き込みが安定して行われる。
【００４３】
実施形態３．
なお、上記の実施形態１，２においては、垂直開始信号２を垂直開始信号１よりも１フレーム周期の１／２遅らせて、１画面の１／２に映像を表示する例について説明したが、本発明においては、垂直開始信号２の垂直開始信号１に対するタイミング遅延量を任意に設定することにより、ビデオ信号（有効ビデオ信号）による表示の割合を任意に設定することができる。例えば垂直開始信号２の垂直開始信号１に対するタイミングを１フレーム周期の１／３に設定すると、１画面の１／３に映像が表示されることになり、１フレーム周期の２／３に設定すると、１画面の２／３に映像が表示されることになる。なお、ビデオ信号（有効ビデオ信号）の表示時間が短い程動画ボケに対して効果があるが、表示時間が短い程映像が暗くなるので、実際には両者のバランスをとって垂直開始信号２の遅れ時間を決めることになる。上記の垂直開始信号２の垂直開始信号１に対する遅れ時間を例えば画像全体の動き量等に応じて自動的に調整する実施形態を実施形態４〜９として以下に説明する。
【００４４】
実施形態４．
図８は本発明の実施形態４に係る表示装置の構成図である。この表示装置は、図１の実施形態１との関係では、フレームメモリ５１、動き量検出部５２及びタイミング調整部５３が付加されている。フレームメモリ５１には映像信号が供給されてフレーム画像が展開される。動き量検出部５２は、フレームメモリ５１に展開されたフレーム画像の映像信号（過去の映像信号）と現在の映像信号とに基づいて画像全体の動き量を検出する。ここで、動き量検出部５２による画像全体の動き量の検出方法の一例を説明する。例えば１フレームの画像を、ｍ画素×ｎ画素（ｍ，ｎは２以上の整数）を１ブロックとする複数のブロック群に分割する。そして、各ブロックについて、それぞれ２つのフレーム間（フレームメモリ５１のフレーム画像と現在の映像信号によるフレーム画像との間）での動きベクトルを求めることにより、その動き量を求める。そして、求められたブロックの動き量の総和を求める。このようにして求められた各ブロックの動き量の総和が、２つのフレーム間での画像全体の動き量に相当する。なお、１つのブロックの動きベクトルは、ブロックに含まれる画素データ（輝度データ）の重心座標の移動量を求めることにより得られる。ここでは、フレームメモリ５１は独立したブロックで表されているが、映像信号処理回路１０に内蔵されているものを使用する場合もある。
【００４５】
動き量検出部５２により検出された画像全体の動き量はタイミング調整部５３に供給される。タイミング調整部５３は画像全体の動き量に基づいて垂直開始信号２の出力のタイミングを後述の図９の特性に従って調整する。
【００４６】
図９は画像全体の動き量と垂直開始信号２の垂直開始信号１に対する遅れ時間との関係を示した特性図である。同図に示されるように、画像全体の動き量が小である程、垂直開始信号２の垂直開始信号１に対する遅れ時間Ｔｄ（図４、図５、図７参照）を大きくして、垂直走査期間に対する表示期間の割合を増やすことにより、１画像の表示量を多くしている。また、画像全体の動き量が大である程、垂直開始信号２の垂直開始信号１に対する遅れ時間Ｔｄを小さくして、垂直走査期間に対する表示期間の割合を減らすことにより、１画面の表示量を少なくし、動画ボケの発生を軽減させている。
【００４７】
実施形態５．
図１０は本発明の実施形態５に係る表示装置の構成図である。この表示装置は、図８の実施形態４との関係では、調光データ生成部５４及び調光光源ユニット５５が付加されている。調光データ生成部５４は、後述の図１１の特性に従って画像全体の動き量に対応した調光データ信号を生成して調光光源ユニット５５に出力する。調光光源ユニット５５は、調光データ信号に基づいて光源の光量を調整したり、補助光源としてＬＥＤを用いてその駆動電流を調整したり、或いはルーバーの角度を調整したりして、最終的に射出光量を調整する。
【００４８】
図１１は画像全体の動き量と調光データ（射出光量）との関係を示した特性図である。この特性図は、画像全体の動き量が大である程、調光データが大となる特性となっている。上記のように、画像全体の動き量が大である程、垂直開始信号２の垂直開始信号１に対する遅れ時間Ｔｄを小さくし、１画面の表示量（映像信号の表示量）を少なくして動画ボケの発生を軽減させている。このため、１画面の表示量が少なくなると、表示部１４の画面が必然的に暗くなるが、調光光源ユニット５５が図１１の特性により得られる調光データ信号に従って光量（射出光量）を調整することにより、画像全体の動き量が大のときでも表示部１４の画面が暗くならないようにしている。
【００４９】
実施形態６．
図１２は本発明の実施形態６に係る表示装置の構成図である。この表示装置は、図８の実施形態４との関係では、ガンマ補正部（ゲイン調整部）５６が付加されており、これは動き量検出部５２の出力（動き量）によって制御される。なお、映像信号処理回路１０はガンマ補正部（ゲイン調整部）が内蔵されているものであるが、本実施形態６ではガンマ補正部（ゲイン調整部）５６の存在を強調するために敢えて別のブロックで表している。ガンマ補正部（ゲイン調整部）５６は、図１３に示されるように、そのガンマ特性又はゲインを画像全体の動き量に従って増大させている。
【００５０】
図１３（ａ）（ｂ）はガンマ補正部・ゲイン調整部５６の特性図である。同図に示されるように、画像全体の動き量に従ってそのガンマカーブがそのゲインが増大する方向に調整され、又はゲインが増大する方向に調整される。表示部１４の画面は画像全体の動き量が大である程、上述のように画面が暗くなるおそれがあるが、本実施形態６は映像信号の輝度レベルを上げることにより画面の輝度を上げており、画像全体の動き量が大のときでも、表示部１４の画面が暗くならないようにしている。
【００５１】
実施形態７．
図１４は本発明の実施形態７に係る表示装置の構成図である。この表示装置は、図８の実施形態４との関係では、フレームメモリ５１及び動き量検出部５２が省略されており、その代わりに、タイミング調整部５３はシーンモード切替スイッチ５７からのシーンモード切替信号が供給され、その信号に基づいて垂直開始信号２の発生タイミングを調整している。シーンモード切替信号としては、例えばスポーツ、シネマ（ＤＶＤ）、プレゼンテーション等に対応した信号がある。例えばスポーツの場合には動くものを見ることになるので、画像全体の動きが大の場合に相当するように垂直開始信号２の発生タイミングを調整し、プレゼンテーションの場合には静止画なので、画像全体の動きが小の場合に相当するように垂直開始信号２の発生タイミングを調整する。シネマ（ＤＶＤ）の場合には、動画優先にしたり、或いは見たい映像ソースに合わせるように、垂直開始信号２の発生タイミングを調整する。このように、シーンモード切替スイッチ５７からのシーンモード切替信号に応じて垂直開始信号２の発生タイミングを調整するようにしたので、映像内容に応じた適切な処理がなされている。
【００５２】
実施形態８．
図１５は本発明の実施形態８に係る表示装置の構成図である。この表示装置は、図１４の実施形態７との関係では、調光データ生成部５４及び調光光源ユニット５５が追加されている。また、図１０の実施形態５との関係では画像全体の動き量の代わりに、シーンモード切替スイッチ５７からのシーンモード切替信号が用いられており、図１０の実施形態５と同様に動作する。但し、図１０の実施形態５の場合には垂直開始信号２の発生タイミングは定常的に変化するが、本実施形態８では、垂直開始信号２の発生タイミングはシーンモード切替信号に対応したものになる。
【００５３】
実施形態９．
図１６は本発明の実施形態９に係る表示装置の構成図である。この表示装置は、図１５の実施形態８との関係では、調光データ生成部５４及び調光光源ユニット５５が省略され、ガンマ補正部（ゲイン調整部）５６が追加されている。また、図１２の実施形態６との関係では画像全体の動き量の代わりに、シーンモード切替スイッチ５７からのシーンモード切替信号が用いられており、図１２の実施形態６と同様に動作する。但し、図１２の実施形態６の場合には垂直開始信号２の発生タイミングは定常的に変化するが、本実施形態９では、垂直開始信号２の発生タイミングがシーンモード切替信号に対応したものとなる。
【００５４】
実施形態１０．
なお、上記の実施形態４〜９においては、画像全体の動き量又はシーンモード切替信号に基づいて垂直開始信号２の発生タイミングを調整する等の例について説明したが、シーンモード切替信号と画像全体の動き量とを組み合わせて、垂直開始信号２の発生タイミングを調整する等の処理をするようにしてもよい。
【００５５】
実施形態１１．
また、液晶セルアレイ１６として、光源の光を利用して映像表示を行う透過型の例について説明したが、反射板を備え、外部からの入射光を利用して映像表示を行う反射型や、表示パネルの内面に半透過板を設け、なおかつバックライトの光により反射型と透過型両方の特性を利用して映像表示を行う半透過反射型にも本発明を適用可能である。そして、スクリーンに映像を投影するものでなく、表示パネルを直視するものにも本発明は適用可能である。
【００５６】
実施形態１２．
図１７は上記の実施形態に係る表示装置を内蔵した液晶プロジェクタの例を示した図である。本発明の電子機器には、液晶プロジェクタの他に、パソコン、携帯電話、ＰＤＡ等の各種電子機器においても同様に適用される。
【図面の簡単な説明】
【００５７】
【図１】本発明の実施形態１に係る表示装置の構成図。
【図２】表示部の詳細を示した回路図。
【図３】液晶セルアレイの詳細を示した図。
【図４】図２及び図３の表示部の各部の信号のタイミングチャート。
【図５】図２及び図３の表示部の表示の推移を示した説明図。
【図６】本発明の実施形態２に係る表示部の構成を示した回路図。
【図７】図６の表示部の各部の信号のタイミングチャート。
【図８】本発明の実施形態４に係る表示装置の構成図。
【図９】画像全体の動き量と垂直開始信号２の遅れ時間との関係を示した特性図。
【図１０】本発明の実施形態５に係る表示装置の構成図。
【図１１】画像全体の動き量と調光データ（輝度）との関係を示した特性図。
【図１２】本発明の実施形態６に係る表示装置の構成図。
【図１３】ガンマ補正部又はゲイン調整部の特性図。
【図１４】本発明の実施形態７に係る表示装置の構成図。
【図１５】本発明の実施形態８に係る表示装置の構成図。
【図１６】本発明の実施形態９に係る表示装置の構成図。
【図１７】上記の表示装置を内蔵した液晶プロジェクタの例を示した図。
【符号の説明】
【００５８】
１０ 映像信号処理回路、１１ Ｄ／Ａ変換器、１２ 極性反転回路、１３ ビデオアンプ、１４ 表示部、１５ 制御部、１６ 液晶セルアレイ、１７ データ線駆動回路、１８ 行駆動回路、２１ データ線選択回路、２２−１〜２２−ｍ アンド回路、２３−１〜２３−ｍ オア回路、２４−１〜２４−ｍ スイッチングトランジスタ、２５，２６ 行選択回路、 ２７−１〜２７−ｎ アンド回路、２８−１〜２８−ｎ アンド回路、 ２９ インバータ、３０−１〜３０−ｎ オア回路、５１ フレームメモリ、５２ 動き量検出部、５３ タイミング調整部、５４ 調光データ生成部、５５ 調光光源ユニット、５６ ガンマ補正部（ゲイン調整部）、５７ シーンモード切替スイッチ。
【図１】
2006343766.tif 000003
【図２】
2006343766.tif 000004
【図３】
2006343766.tif 000005
【図４】
2006343766.tif 000006
【図５】
2006343766.tif 000007
【図６】
2006343766.tif 000008
【図７】
2006343766.tif 000009
【図８】
2006343766.tif 000010
【図９】
2006343766.tif 000011
【図１０】
2006343766.tif 000012
【図１１】
2006343766.tif 000013
【図１２】
2006343766.tif 000014
【図１３】
2006343766.tif 000015
【図１４】
2006343766.tif 000016
【図１５】
2006343766.tif 000017
【図１６】
2006343766.tif 000018
【図１７】
2006343766.tif 000019